(57)【特許請求の範囲】
【請求項１】
信号光が入力されるＮ個の信号光入力ポートと、
信号光を出力するＭ個の信号光出力ポートと、
入力された前記信号光が接続されるＮ個の光入力ポートと、前記信号光出力ポートへ信号光を出力するＭ個の光出力ポートとを有し、前記光入力ポートと前記光出力ポートとの間で光の経路を選択的に設定可能なＭ×Ｎスイッチと、
テスト光を外部から入力可能なテスト信号入力ポートと、
前記テスト光または前記信号光を前記Ｍ個の信号光出力ポート以外の方向へ出力する拡張ポートと、
前記信号光入力ポートから入力された前記信号光を、前記Ｍ×Ｎスイッチの前記光出力ポートに接続するか、前記拡張ポートに接続される光の経路に接続するかを切り換える光スイッチと、
を有する光スイッチモジュール。
【請求項２】
前記光スイッチは、前記信号光入力ポートと前記Ｍ×Ｎスイッチとの間に配置される２×２光スイッチであり、
前記２×２光スイッチの第１入力ポートは前記信号光入力ポートに接続され、第２入力ポートは前記テスト信号入力ポートに接続され、第１出力ポートは前記Ｍ×Ｎスイッチに接続され、第２出力ポートは前記拡張ポートに接続される前記光の経路に接続されることを特徴とする請求項１に記載の光スイッチモジュール。
【請求項３】
前記２×２光スイッチは、クロスバータイプの光スイッチであり、前記テスト光の入力時はストレート状態に設定されていることを特徴とする請求項２に記載の光スイッチモジュール。
【請求項４】
前記２×２光スイッチは、クロスバータイプの光スイッチであり、前記信号光入力ポートに入力された前記信号光を前記拡張ポートに接続される前記光の経路に送出するときはクロス状態に設定されることを特徴とする請求項２に記載の光スイッチモジュール。
【請求項５】
前記光スイッチは、前記信号光入力ポートと前記Ｍ×Ｎスイッチとの間に配置される第１の２×１光スイッチであり、
前記光スイッチモジュールは、前記テスト信号入力ポートと前記拡張ポートの間に配置される第２の２×１光スイッチ、をさらに有し、
前記第２の２×１光スイッチの第１入力ポートは前記第１の２×１光スイッチに接続され、第２入力ポートは前記テスト信号入力ポートに接続されていることを特徴とする請求項１に記載の光スイッチモジュール。
【請求項６】
前記Ｍ×Ｎスイッチは、前記Ｎ個の信号光入力ポートに接続されるＮ個の（Ｍ＋１）×１光スイッチを有し、
前記（Ｍ＋１）×１光スイッチは、前記Ｍ×Ｎスイッチの前記Ｍ個の光出力ポートと、前記拡張ポートに接続される光の経路との間を切り換える前記光スイッチである、
ことを特徴とする請求項１に記載の光スイッチモジュール。
【請求項７】
前記テスト信号入力ポートと前記拡張ポートの間に配置される２×１光スイッチ、
をさらに有し、
前記２×１光スイッチの第１入力ポートは前記（Ｍ＋１）×１光スイッチの前記Ｍ＋１番目の出力ポートに接続され、第２入力ポートは前記テスト信号入力ポートに接続されていることを特徴とする請求項６に記載の光スイッチモジュール。
【請求項８】
請求項１〜７のいずれかに記載の光スイッチモジュールと、
伝送路に接続され、前記光スイッチモジュールから挿入または前記光スイッチモジュールへ分岐される光信号の波長を選択する波長選択スイッチと、
を有することを特徴とする光中継装置。
【請求項９】
信号光が入力されるＮ個の信号光入力ポートと信号光を出力するＭ個の信号光出力ポートとの間に配置されて前記Ｎ個の信号光入力ポートと前記Ｍ個の信号光出力ポートの間に光の経路を選択的に設定可能なＭ×Ｎスイッチと、テスト光を外部から入力可能なテスト信号入力ポートと、前記テスト光または前記信号光を前記Ｍ個の信号光出力ポート以外の方向へ出力する拡張ポートと、前記信号光入力ポートから入力された前記信号光を、前記Ｍ×Ｎスイッチの出力ポートに接続するか前記拡張ポートに接続される光の経路に接続するかを切り換える光スイッチと、を有する第１の光スイッチモジュールを用意し、
前記第１の光スイッチモジュールの前記拡張ポートに、第２の光スイッチモジュールを接続し、
前記第１の光スイッチモジュールの前記光スイッチを前記拡張ポート側に設定し、
前記第１の光スイッチモジュールの前記テスト信号入力ポートからテスト信号を入力して、前記第２の光スイッチモジュールで前記テスト信号をモニタし、前記第１の光スイッチモジュールと前記第２の光スイッチモジュールとの間の接続を確認し、
前記接続の確認後に、前記信号光入力ポートから入力される前記信号光を前記拡張ポートにより前記第２の光スイッチモジュールに出力する、
ことを特徴とする方路拡張方法。
【発明の詳細な説明】
【技術分野】
【０００１】
本発明は、光スイッチモジュール、これを用いた光中継装置、及び方路拡張方法に関する。
【背景技術】
【０００２】
波長多重光通信（ＷＤＭ：Wavelength Division Multiplex）システムで用いられるＲＯＡＤＭ（Reconfigurable Optical Add/Drop Multiplexer）は、光スイッチにより各波長の光信号を分岐（ドロップ）、挿入（アド）する光中継装置である。光ネットワークの柔軟性を高めるために、ＲＯＡＤＭで波長や方路を自由に設定し、かつ波長衝突を回避することのできるＣＤＣ（Colorless, Directionless, Contentionless）機能の実現が検討されている。ＣＤＣ機能を有するＲＯＡＤＭはＣＤＣ−ＲＯＡＤＭと呼ばれている。
【０００３】
図１は、ＣＤＣ機能を実現する光切り替え構成の一例としてのマルチキャストスイッチ（ＭＣＳ：Multicast Switch）モジュール１００の構成を示す。受信側（Drop side）のＭＣＳ１１０−２で、Ｍ個の方路（deg 1〜deg M）からのＷＤＭ信号が、Ｍ台の１×Ｎ光カプラ（図中、「ＳＰＬ」と表記）１３１〜１３ｍ（以下、適宜「光カプラ１３」と総称する）に入力されて、Ｎ個の方向に分岐される。分岐されたＷＤＭ信号は、Ｎ台のＭ×１光スイッチ１１１〜１１ｎ（以下、適宜「光スイッチ１１」と総称する）に接続され、Ｍ×１光スイッチ１１1〜１１nからＮ個のドロップ（drop）ポートに出力される。
【０００４】
送信側（Add side）のＭＣＳ１１０−１も同様の構成を持ち、Ｎ個のアドポートから、Ｎ台の１×Ｍ光スイッチ１１１〜１１ｎに光信号が入力される。各１×Ｍ光スイッチ１１の出力は、Ｍ台のＮ×１光カプラ１３１〜１３ｍに接続されてＭ個の方路に出力される。アド側の１×Ｍ光スイッチ１１とドロップ側のＭ×１光スイッチ１１は、信号伝送方向によって入力数と出力数が逆になるだけでスイッチ自体の構成は同じであるため、図ではアド側もドロップ側も「Ｍ×１  ＳＷ」と表記してある。同様に、アド側のＮ×１光カプラ１３とドロップ側の１×Ｎ光カプラ１３は、信号伝送方向によって入力数と出力数が逆になるだけで光カプラ自体の構成は同じであるため、図ではアド側もドロップ側も「１×Ｎ  ＳＰＬ」と表記してある。本明細書では、ｍ個の入力または出力ポートに対してｎ個の出力または入力ポートを有する光切り替え構成を、入出力の方向を問わずに「Ｍ×Ｎ」光スイッチ（光カプラ、光セレクタ、光スプリッタ等も含む）と呼ぶこととする。
【０００５】
一般的にＭＣＳモジュール１００は、図１のようにアド側とドロップ側が対になって使用される。Ｍ個の方路に対してＮ個のアドポートもしくはドロップポートをもつＭＣＳをＭ×Ｎ  ＭＣＳと呼ぶ。
【０００６】
図２は、波長選択スイッチ（ＷＳＳ：Wavelength Selective Switch)１０５a、１０５ｂと２×２ＭＣＳ１１０−１、１１０−２を組み合わせた２方路のＲＯＡＤＭ１００１のノード構成を示す。以前のＲＯＡＤＭでは、ＭＣＳ１１０−１、１１０−２に相当する箇所にＡＷＧ（Arrayed Waveguide Grating）が使用されていたため、各アドポートからあらかじめ決められた波長しか入力できなかった。ＭＣＳ１１０−１、１１０−２を使用することで各アドポートからは任意の波長の光を入力することが可能になり、「Colorless」機能が実現される。ドロップ側でも同様である。
【０００７】
各信号入力ポートに入力される２本のトランスポンダ１０２からの光出力信号は２×２ＭＣＳ１１０−１で方路が選択される。２つの方路からの光入力信号は２×２ＭＣＳ１１０−２で２本のトランスポンダ１０２に振り分けられる。方路は信号ごとに独立して選択可能であることから「Directionless」の機能が実現される。また，ある入力ポートに割り当てられた波長に対し，他の入力ポートから同じ波長の信号を入力することも可能である(ただし、同一方路は選択できない)。すなわち「Contentionless」機能が実現される。
【０００８】
ＣＤＣ−ＲＯＡＤＭノードにおいて、選択可能な方路数(Ｍ)を運用開始後に拡張したいという要求がある。そのため、図３のＭＣＳモジュール２００のように、ドロップ側のＭＣＳ２１０−２とアド側のＭＣＳ２１０−１で、Ｍ×１光スイッチ１１1〜１１nの各々に対して、２×１光スイッチ１２1〜１２n（以下、適宜「光スイッチ１２」と総称する）を接続する。２×１光スイッチ１２のポートのうち、Ｍ×１光スイッチ１１に接続されていないポートをＮ本まとめたアップグレードポート（upgrade port）２１５を設けて、方路を拡張する（たとえば、特許文献１参照）。
【０００９】
図４は、運用中の１台目のＭＣＳモジュール２００Ａに、２台目のＭＣＳモジュール２００Ｂが接続された構成を示す。ＭＣＳモジュール２００Ａのアド側のアップグレードポート２１５Ａを光ケーブル２１７でＭＣＳモジュール２００Ｂのアドポートに接続し、ＭＣＳモジュール２００Ａのドロップ側のアップグレードポートをＭＣＳモジュール２００Ｂのドロップポートに接続する。光信号を２台目のＭＣＳモジュール２００Ｂの方路に（またはＭＣＳモジュール２００Ｂの方路から）接続する場合は、２×１光スイッチ１２をＭＣＳモジュール２００Ｂの方向に向けることで、信号経路をアップグレードポート２１５の方向に切り換えることができる。方路の拡張前は、アドポートから入力される光信号はＭ個の方路しか選択できなかったが、方路拡張後は２×Ｍ個の方路が選択可能となる。
【先行技術文献】
【特許文献】
【００１０】
【特許文献１】米国特許公開2013/0108215
【発明の概要】
【発明が解決しようとする課題】
【００１１】
新たなＭＣＳモジュール２００Ｂを接続して方路を拡張する場合、運用中のＭＣＳモジュール２００Ａと追加接続されたＭＣＳモジュール２００Ｂが正しく接続されているかを確認する必要がある。ドロップ側では、追加されたＭＣＳモジュール２００Ｂのアップグレードポート２１５Ｂからテスト信号を入力することができる。しかし、アド側では１台目のＭＣＳモジュール２００Ａが運用中であるため、テスト信号をＭＣＳモジュール２００Ｂに流すことができない。接続確認のために１台目のＭＣＳモジュール２００Ａの運用を停止すると、光信号の伝送が阻害される。
【００１２】
そこで、光ネットワークで方路を拡張する際に、運用中の光スイッチモジュールに影響を与えずに、追加される光スイッチモジュールとの間の接続を確認することのできる光スイッチモジュールの構成と方路拡張方法を提供することを課題とする。
【課題を解決するための手段】
【００１３】
ひとつの態様では、光スイッチモジュールは、
信号光が入力されるＮ個の信号光入力ポートと、
信号光を出力するＭ個の信号光出力ポートと、
入力された前記信号光が接続されるＮ個の光入力ポートと、前記信号光出力ポートへ信号光を出力するＭ個の光出力ポートとを有し、前記光入力ポートと前記光出力ポートとの間で光の経路を選択的に設定可能なＭ×Ｎスイッチと、
テスト光を外部から入力可能なテスト信号入力ポートと、
前記テスト光または前記信号光を前記Ｍ個の信号光出力ポート以外の方向へ出力する拡張ポートと、
前記信号光入力ポートから入力された前記信号光を、前記Ｍ×Ｎスイッチの前記Ｍ個の光出力ポートに接続するか、前記拡張ポートに接続される光の経路に接続するかを切り換える光スイッチと、
を有する。
【発明の効果】
【００１４】
光ネットワークで方路を拡張する際に、運用中の光スイッチモジュールに影響を与えずに、追加される光スイッチモジュールとの間の接続を確認することができる。
【図面の簡単な説明】
【００１５】
【図１】ＭＣＳモジュールの一般的な構成を示す図である。
【図２】ＭＣＳモジュールを用いたＲＯＡＤＭの構成例を示す図である。
【図３】方路拡張機能付きＭＣＳモジュールの構成例を示す。
【図４】方路拡張後の接続構成を示す図である。
【図５】考えられ得る方路拡張構成における問題点を説明する図である。
【図６】考えられ得る方路拡張構成における問題点を説明する図である。
【図７】第１実施形態のＭＣＳモジュールを用いた方路拡張構成を示す図である。
【図８】図７の構成で用いられる２×２光スイッチの状態を示す図である。
【図９】光接続確認に用いられる分岐回路の構成例である。
【図１０】アド側運用時の接続確認を説明する図である。
【図１１】拡張された方路への接続を示す図である。
【図１２】第２実施形態のＭＣＳモジュールを用いた方路拡張構成を示す図である。
【図１３】第２実施形態の変形例を示す図である。
【図１４】第３実施形態のＭＣＳモジュールを用いた方路拡張構成を示す図である。
【図１５】第３実施形態の変形例を示す図である。
【図１６】第４実施形態のＭＣＳモジュールを用いた方路拡張構成を示す図である。
【図１７】第４実施形態の変形例を示す図である。
【図１８】実施形態のＭＣＳモジュールを用いたＲＯＡＤＭの構成例を示す図である。
【図１９】方路拡張後のＲＯＡＤＭの構成を示す図である。
【図２０】実施形態の方路拡張方法を示すフローチャートである。
【発明を実施するための形態】
【００１６】
実施形態を説明する前に、図５と図６を参照して、考えられ得るＭＣＳモジュール構成で生じる問題点を説明する。
【００１７】
図５は、１台目（運用中）のＭＣＳモジュール８Ａに、２台目のＭＣＳモジュール８Ｂを接続したときの接続確認を示す図である。ＭＣＳモジュール８Ａ、８Ｂは同じ構成を有し、方路拡張の要求に応じて適宜追加接続されるので、ＭＣＳモジュール８Ａについて説明する。ＭＣＳモジュール８Ａは、ドロップ側のＭＣＳ１０とアド側のＭＣＳ２１０を有する。アド側のＭＣＳ２１０は、図３及び図４のＭＣＳ２１０と同一である。ドロップ側のＭＣＳ１０は、アップグレードポート１５Ａと、２×１光スイッチ１２の未使用ポートとの間に、テストアクセスポート（ＴＡＰ：Test Access Port）回路１９Ａを有する。ＴＡＰ回路１９Ａは、ｎ個のモニタ検出器（ＰＤ）を有する。
【００１８】
ＭＣＳジュール８Ａのアド側のアップグレードポート１５Ａは、光ケーブル２７で２台目のＭＣＳモジュール８Ｂのアドポートに接続され、ドロップ側のアップグレードポート１５Ａは、光ケーブル１７でＭＣＳモジュール８Ｂのドロップポートに接続されている。光ケーブル１７及び２７は、たとえば光コネクタ付きの光ファイバである。光ファイバの断線等で接続が切断されていたり、光コネクタの誤接続などで誤ったポートに接続されている場合、ＭＣＳモジュール８ＡとＭＣＳモジュール８Ｂの間で光信号が伝送されない。あるいは誤った方路に光信号が送られてしまう。
【００１９】
ドロップ側では、２台目のＭＣＳモジュール８Ｂのアップグレードポート１５Ｂから接続監視用のテスト信号を入力して、１台目のＭＣＳモジュール８ＡのＴＡＰ回路１９Ａでテスト信号をモニタする。１台目のＭＣＳモジュール８Ａが運用中でも、２台目のＭＣＳモジュール８Ｂの接続確認が可能である。
【００２０】
しかし、アド側では、１台目のＭＣＳモジュール８Ａが運用中であるため、テスト信号を入力することができない。アド側の接続確認をするために、２×１光スイッチ１２の出力ポートをアップグレードポート１５Ａ側に切り替えてテスト信号を入力すると、その間の光伝送が中断されてしまう。
【００２１】
同様の問題は、図６の構成でも生じる。図６のＭＣＳモジュール９Ａ、９Ｂは、ｎ個のＭ×１光スイッチ１１とｎ個の２×１光スイッチ１２を用いて方路を拡張する替わりに、ｎ個の（Ｍ＋１）×１光スイッチ１４を用いている。ＭＣＳモジュール９ＡとＭＣＳモジュール９Ｂの構成は同じであり、ＭＣＳモジュール９Ａについてだけ説明する。ＭＣＳモジュール９Ａはドロップ側のＭＣＳ７０とアド側のＭＣＳ３１０を有する。ＭＣＳ７０では、各光スイッチ１４のＭ＋１番目のポートはアップグレードポート７５Ａに接続され、アップグレードポート７５Ａと光スイッチ１４のＭ＋１番目のポートの間にＴＡＰ回路１９が挿入されている。２台目のＭＣＳモジュール９Ｂのアップグレードポート７５Ｂから接続監視用のテスト信号を入力することで、ドロップ側でＭＣＳモジュール９ＡとＭＣＳモジュール９Ｂの間の接続を確認することができる。しかし、アド側では光スイッチ１４1〜１４nが運用中であるため、テスト信号を入力することができない。
【００２２】
そこで、以下の実施形態では、１台目のＭＣＳモジュールが運用中であっても、運用状態に影響を与えずに接続確認をすることのできる方路拡張機能付きＭＣＳモジュールの具体例を提供する。明細書及び図面中で、同じ構成要素には同じ符号を付けて重複する説明を省略する。
＜第１実施形態＞
図７は、第１実施形態のＭＣＳモジュール１の概略図である。第１実施形態では、アド側で２×２光スイッチ２２を用いて、方路拡張時に運用中のＭＣＳモジュールと追加のＭＣＳモジュールとの間の接続確認を可能にする。
【００２３】
ＭＣＳモジュール１は、アド側のＭＣＳ２０と、ドロップ側のＭＣＳ１０を有する。ＭＣＳ２０及びＭＣＳ１０は、光スイッチとカプラをファイバ接続により構成するタイプであってもよいし、石英やシリコン、その他の半導体材料を用いた導波路で構成されるＰＬＣ（Planar Light wave Circuit)タイプであってもよい。
【００２４】
アド側のＭＣＳ２０は、ｎ個のアドポートに対応して配置されるｎ個の２×２光スイッチ２２1〜２２n（以下、適宜「２×２光スイッチ２２」と総称する）と、ｎ個のＭ×１光スイッチ１１と、ｍ個の１×Ｎ光カプラ１３と、第１アップグレードポート２１、及び第２アップグレードポート２５を有する。ｎ個のＭ×１光スイッチ１１とｍ個の１×Ｎ光カプラ１３で、ｍ個の方路とｎ個のポートの間を選択可能に接続するＭ×Ｎスイッチを構成する。
【００２５】
２×２光スイッチ２２の一方の入力ポートはアドポートに接続され、他方の入力ポートは、第１アップグレードポート２１に接続される。２×２光スイッチ２２の一方の出力ポートは対応するＭ×１光スイッチ１１に接続され、他方の出力ポートは第２アップグレードポート２５に接続される。第１アップグレードポート２１と、第２アップグレードポート２５は、ともに複数のポートを束ねたものである。後述するように、第１アップグレードポート２１には接続監視用のテスト信号が入力される。この意味で、第１アップグレードポート２１を「テスト信号入力ポート２１」と称してもよい。第２アップグレードポートはテスト信号を新たな方路に通して接続確認を行い、方路を拡張する。この意味で、第２アップグレードポート２５を「拡張ポート２５」と称してもよい。
【００２６】
図８は、ＭＣＳ２０で用いられる２×２光スイッチ２２の状態を示す図である。２×２光スイッチ２２は、クロスバータイプの光スイッチである。図８（Ａ）のストレート状態では、入力ポート１が出力ポート１に接続され、入力ポート２が出力ポート２に接続される。図８（Ｂ）のクロス状態では、入力ポート１は出力ポート２に接続され、入力ポート２は出力ポート１に接続される。方路拡張前は、２×２光スイッチ２２はストレート状態にあり、アドポートからの光信号は入力ポート１に入力され、出力ポート１から出力される。入力ポート２と出力ポート２は未使用である。
【００２７】
方路拡張のための接続確認時も、２×２光スイッチ２２はストレート状態である。入力ポート１にアドポートからの光信号が入力され、出力ポート１からＭ×１光スイッチ１１に出力される。第１アップグレードポート２１から接続監視用のテスト信号が入力され、２×２光スイッチ２２の入力ポート２に入る。テスト信号は出力ポート２から第２アップグレードポート２５を介して、追加接続されたＭＣＳモジュールに送られる。接続確認が完了し、追加された方路へ光信号を送出するときには、２×２光スイッチ２２はクロス状態に切り替えられる。接続確認時と方路拡張後の２×２光スイッチ２２の状態と信号経路の詳細は、後述する。
【００２８】
ＭＣＳモジュール１のドロップ側のＭＣＳ１０は、図５のＭＣＳモジュール８Ａ及び８ＢのＭＣＳ１０と同一である。したがって、追加接続されたＭＣＳモジュールのアップグレードポート１５から入力されるテスト信号を運用中のＭＣＳモジュール１のＴＡＰ回路１９で検出して接続確認をすることができる。
【００２９】
図９は、ドロップ側のＭＣＳ１０で用いられるＴＡＰ回路１９の構成例である。ＴＡＰ回路１９は、アップグレードポート１５から延びるｎ本の光配線１６1〜１６n（以下、適宜「光配線１６」と総称する）のそれぞれに対応して配置されるｎ個のモニタＰＤ１８1〜１８n（以下、適宜「モニタＰＤ１８」と総称する）を有する。モニタＰＤ１８は、光配線１６から分岐される光成分をモニタして、テスト信号の強度に応じた電流を出力する。モニタＰＤ１８で検出されるテスト信号の強度が一定レベル以上である場合に、方路拡張用のＭＣＳモジュールとの間の接続がなされたと判断することができる。
【００３０】
図１０は、１台目のＭＣＳモジュール１Ａに、２台目のＭＣＳモジュール１Ｂが接続されたときの接続確認を示す。接続確認時、ＭＣＳ２０の２×２光スイッチ２２はストレート状態（図８（Ａ）参照）にある。２×２光スイッチ２２の第１入力ポートにアドポートからの光信号が入力され、第１出力ポートからＭ×１光スイッチ１１に出力され、Ｍ個の方路のいずれかに送出される。
【００３１】
２×２光スイッチ２の第２入力ポートに、アド側の第１アップグレードポート２１Ａから接続監視用のテスト信号が入力される。テスト信号は第２出力ポートからアド側の第２アップグレードポート２５Ａに接続され、光ケーブル２７を介して、２台目のＭＣＳモジュール１Ｂのアド側の第１アップグレードポート２１Ｂに導かれる。ＭＣＳモジュール１Ｂの２×２光スイッチ２２もストレート状態にあり、テスト信号は第２アップグレードポート２５Ｂでモニタされる。１台目のＭＣＳモジュール１Ａのアド側の第１アップグレードポート２１Ａから入力されたテスト信号が、２台目のＭＣＳモジュール１Ｂのアド側の第２アップグレードポート２５Ｂに出力されているか否かを観測することで、ＭＣＳモジュール１ＡとＭＣＳモジュール１Ｂの間の接続を確認することができる。アド側の第１アップグレードポート２１Ａ、２１Ｂのｎ本の光配線は、それぞれ対応する２×２光スイッチ２２に接続されているので、２台目のＭＣＳモジュール１Ａのアド側の第２アップグレードポート２５Ｂで、ｎ個のテスト信号の各々をモニタすることができる。
【００３２】
なお、図７でアップグレードポート１５Ａ，１５Ｂ，２５Ａ，２５Ｂは複数の線で模式的に描かれているが、図示しない光コネクタを介して光ケーブル１７、２７に接続される複数のポートであってもよい。
【００３３】
図１１は、接続確認後の拡張された方路への信号送出を示す。拡張された方路へ光信号を送出する場合、２×２光スイッチ２２は、ＭＣＳモジュール１Ａと１Ｂの双方で、クロス状態に切り換えられる。トランスポンダ（図２参照）からの信号はＭＣＳモジュール１Ａのアドポートから対応する２×２光スイッチの第１入力ポートに入力され、対角にある第２出力ポートからアップグレードポート２５Ａに導かれる。光ケーブル２７を介して２台目のＭＣＳモジュール１ＢのＭＣＳ２０の第１アップグレードポート２１Ｂに入力された光信号は、クロス状態の２×２光スイッチ２２により、Ｍ×１光スイッチ１１に入力され、Ｍ＋１番目の方路から２×Ｍ番目の方路のいずれかの方路に送出される。
【００３４】
ドロップ側では、拡張された方路からの光信号をトランスポンダへ供給する際には、１台目のＭＣＳ１０の２×１光スイッチ１２をアップグレードポート１５Ａ側に切り換え、２台目のＭＣＳ１０の２×１光スイッチ１２を、Ｍ×１光スイッチ１１側に接続する。これにより、Ｍ＋１番目から２×Ｍ番目の方路のいずれかから送られてきた光信号が、トランスポンダで受信される。
【００３５】
このように、ＭＣＳモジュール１ＡにＭＣＳモジュール１Ｂを追加して方路を拡張する際に、１台目のＭＣＳモジュール１Ａが運用中であっても、その運用状況に影響せずにＭＣＳモジュール１Ａと１Ｂの間の光路の接続を確認することができる。接続確認後は、誤接続やファイバ断線などの問題のない状態で、光信号を所望の方路へ送出することができる。
＜第２実施形態＞
図１２は、第２実施形態のＭＣＳモジュールを用いた方路拡張構成を示す。ＭＣＳモジュール２Ａは運用中のモジュール、ＭＣＳモジュール２Ｂは、追加接続されるモジュールとする。第２実施形態では、ドロップ側でもクロスバータイプの２×２光スイッチ２２を用いる。この構成では、ドロップ側でＴＡＰ回路を用いなくてもよい。
【００３６】
ＭＣＳモジュール２Ａと、ＭＣＳモジュール２Ｂは同一構成なので、ＭＣＳモジュール２Ａについて説明する。ＭＣＳモジュール２Ａは、アド側のＭＣＳ２０−１と、ドロップ側のＭＣＳ２０−２を有する。ＭＣＳ２０−１と２０−２は同じ構成である。
【００３７】
方路拡張のために接続確認を行う際には、ドロップ側で、２台目のＭＣＳモジュール２ＢのＭＣＳ２０−２の第２アップデートポート２５Ｂからテスト信号を入力する。接続確認時は、２×２光スイッチ２２は、ＭＣＳモジュール２Ａと２Ｂの双方でストレート状態にある。入力されたテスト信号は、ＭＣＳモジュール２ＢのＭＣＳ２０−２の第１アップデートポート２１Ｂから光ケーブル１７を介して、ＭＣＳモジュール２ＡのＭＣＳ２０−２の第２アップデートポート２５Ａに入力される。入力されたテスト信号は、２×２光スイッチ２２によりＭＣＳ２０−２の第１アップデートポート２１Ａに出力され、モニタされる。この接続確認は、１台目のＭＣＳモジュール２Ａの運用に影響を与えずに行うことができる。アド側の構成と接続確認は、第１実施形態と同様である。
【００３８】
接続確認後に、光信号をＭ＋１番目〜２×Ｍ番目の方路へ送出する場合は、ＭＣＳモジュール２ＡのＭＣＳ２０−１とＭＣＳモジュール２ＢのＭＣＳ２０−１の双方で２×２光スイッチ２２がクロス状態に切り換えられる。ドロップ側でも同様に、Ｍ＋１番目〜２×Ｍ番目の方路からの光信号を受信する際には、ＭＣＳモジュール２ＡのＭＣＳ２０−２とＭＣＳモジュール２ＢのＭＣＳ２０−２の双方で、２×２光スイッチ２２がクロス状態に切り換えられる。
【００３９】
この構成により、１台目のＭＣＳモジュール２Ａの運用中に、追加接続されるＭＣＳモジュール２Ｂの接続確認をすることができ、接続確認後に拡張された方路との間で光信号の送受信を行うことができる。また、図１２の構成は、各ＭＣＳモジュール２で、アド側とドロップ側を同じ構成にすることができ、製造が簡易化される。ＰＬＣタイプのＭＣＳ２０−１，２０−２を用いる場合は、同じウェハで作製されたＰＣＬを切り出して用いることができる。
【００４０】
図１３は、第２実施形態の変形例を示す図である。図１３では、図１２の構成に加えてアド側とドロップ側の少なくとも一方に接続確認のためのＴＡＰ回路を配置する。ＭＣＳモジュール３Ａと３Ｂは同じ構成であるため、ＭＣＳモジュール３Ａを説明する。
【００４１】
ＭＣＳモジュール３Ａは、アド側のＭＣＳ３０とドロップ側のＭＣＳ４０を有する。ＭＣＳ３０では、第１アップグレードポート２１Ａと、ｎ個の２×２光スイッチ２２の間にＴＡＰ回路３９Ａが配置される。ＭＣＳ４０では、第２アップグレードポート４５Ａと、ｎ個の２×２光スイッチ２２の間にＴＡＰ回路１９Ａが配置される。
【００４２】
ドロップ側では、２台目のＭＣＳモジュール３Ｂのアップグレードポート４５Ｂから入力されたテスト信号は、１台目のＭＣＳモジュール３Ａのドロップ側のＴＡＰ回路１９Ａでモニタされる。アド側では、１台目のＭＣＳモジュール３Ａのアップグレードポート２１Ａから入力されたテスト信号は、２台目のＭＣＳモジュール３Ｂのアド側のＴＡＰ回路３９Ｂでモニタされる。
【００４３】
この構成により、外部のアド側とドロップ側で、ＭＣＳモジュール自体に接続確認用の光信号モニタ機能を持たせることができる。なお、理論的には、アド側で２台目のＭＣＳモジュール３ＢのＭＣＳ３０だけにＴＡＰ回路３９Ｂを設置し、ドロップ側で１台目のＭＣＳモジュール３ＡのＭＣＳ４０にだけＴＡＰ回路１９Ａを配置する構成でも、接続を確認することができる。ただし、同一構成のＭＣＳモジュール３Ａ、３Ｂを接続するだけで方路拡張と接続確認を実現するという観点からは、アド側とドロップ側の双方にＴＡＰ回路を配置した同一種類のＭＣＳモジュールを用いて方路を拡張するのが便利である。
＜第３実施形態＞
図１４は、第３実施形態のＭＣＳモジュールを用いた方路拡張を示す。第３実施形態では、アド側で２×１光スイッチ４２1〜４２n（以下、適宜「２×１光スイッチ４２」と総称する）とベリファイ（検査）ポート５１を用いて接続確認を行う。ＭＣＳモジュール４Ａは運用中のモジュール、ＭＣＳモジュール４Ｂは、追加接続されるモジュールである。図示される例では、同一構成のＭＣＳモジュール４Ａと４Ｂを用いることとし、ＭＣＳモジュール４Ａについて説明する。
【００４４】
ＭＣＳモジュール４Ａは、アド側のＭＣＳ５０と、ドロップ側のＭＣＳ１０を有する。ＭＣＳ１０は、図７（第１実施形態）のＭＣＳ１０と同一である。すなわち、２×１光スイッチ１２とアップグレードポート１５Ａにより方路を拡張し、ＴＡＰ回路１９Ａにより接続確認を行う。
【００４５】
ＭＣＳ５０は、ｎ個の２×１光スイッチ１２と、ｎ個のＭ×１光スイッチ１１と、ｍ個の１×Ｎ光カプラ１３と、ＴＡＰ回路５５Ａと、テスト信号入力用のベリファイポート５１を有する。ベリファイポート５１は、「テスト信号入力ポート５１」と称してもよい。２×１光スイッチ１２の一方の出力ポートは、Ｍ×１光スイッチ１１側に接続されており、通常のアド動作が行われている。
【００４６】
ＴＡＰ回路５５Ａは、ｎ個の２×１光スイッチ４２を有する。各２×１光スイッチ４２の２つの入力ポートのうち、一方は２×１光スイッチ１２との接続に用いられる。他方の入力ポートは、ベリファイポート５１との接続に用いられる。
【００４７】
１台目のＭＣＳモジュール４Ａの運用中に方路を拡張するときは、光ケーブル１７及び２７で２台目のＭＣＳモジュール４Ｂを接続する。アド側では、ＭＣＳモジュール４Ａのアップグレードポート５９Ａを、ＭＣＳモジュール４Ｂのアドポートに接続する。接続確認のために、ＭＣＳモジュール４ＡのＴＡＰ回路５５Ａの各２×１光スイッチ４２の入力ポートをベリファイポート５１に向け、ベリファイポート５１から、接続監視用のテスト信号（光信号）を入力する。このテスト信号は光ケーブル２７を経由して２台目のＭＣＳモジュール４Ｂのアドポートへ導かれる。
【００４８】
２台目のＭＣＳモジュール４Ｂでは、入力されたテスト信号をアップグレードポート５９Ｂに接続するように、方路選択用の２×１光スイッチ１２を設定しておく。ＴＡＰ回路５５Ｂの２×１光スイッチ４２の入力ポートは、２×１光スイッチ１２側に設定されている。テスト信号がアップグレードポート５９Ｂから出力されることを確認することで、１台目のＭＣＳモジュール４Ａと２台目のＭＣＳモジュール４Ｂの間で、アド側の光路が接続されていることが確認される。接続確認後は、１台目のＭＣＳモジュール４ＡのＴＡＰ回路５５Ａの各２×１光スイッチ４２の入力ポートを、ベリファイポート５１側から、２×１光スイッチ１２の側に戻す。
【００４９】
ドロップ側では、ＭＣＳモジュール４Ａのアップグレードポート１５を、ＭＣＳモジュール４Ｂのドロップポートに接続する。接続確認時は、第１実施形態と同様に、２台目のＭＣＳモジュール４Ｂのアップグレードポート１５Ｂからテスト信号を入力して、１台目のＭＣＳモジュール４ＡのＴＡＰ回路１９Ａでテスト信号をモニタする。
【００５０】
理論的には、２台目のＭＣＳモジュール４ＢのＭＣＳ５０にＴＡＰ回路５５Ｂとベリファイポート５１を設ける必要はなく、図５のＭＣＳ２１０を用いてもよい。しかし、同一構成のＭＣＳモジュールを接続するだけで、方路拡張と接続確認を行うことができるという観点からは、同一構成のＭＣＳモジュール４Ａと４Ｂを作製し使用するのが望ましい。
【００５１】
図１５は、第３実施形態の変形例である。変形例では、ドロップ側にも、２×１光スイッチ４２を用いたＴＡＰ回路５５Ａを配置する。運用中のＭＣＳモジュール５Ａに、追加のＭＣＳモジュール５Ｂを接続して方路を拡張する。この例では、同一構成のＭＣＳモジュール５Ａと５Ｂを用いることとし、ＭＣＳモジュール５Ａについて説明する。
【００５２】
ＭＣＳモジュール４Ａは、アド側のＭＣＳ５０−１と、ドロップ側のＭＣＳ５０−２を有する。ドロップ側の接続確認時は、１台目のＭＣＳモジュール５ＡのＭＣＳ５０−２のＴＡＰ回路５５Ａで、各２×１光スイッチ４２はベリファイポート５１側に切り換えられる。２台目のＭＣＳモジュール５ＢのＭＣＳ５０−２のＴＡＰ回路５５Ｂでは、各２×１光スイッチ４２は２×１光スイッチ１２側に設定されている。
【００５３】
２台目のＭＣＳモジュール５Ｂのアップグレードポート１５Ｂから入力されるテスト信号は、ＭＣＳモジュール５Ｂのドロップポートを経由して、光ケーブル１７で１台目のＭＣＳモジュール５Ａのアップグレードポート１５Ａに導かれ、ＴＡＰ回路５５Ａに入力される。ＴＡＰ回路５５Ａの２×１光スイッチ４２はベリファイポート５１側に切り換えられているので、ベリファイポート５１で出力光をモニタすることで、ＭＣＳモジュール５Ａと５Ｂのドロップ側での接続が確認される。アド側の構成と接続確認は、図１４と同様である。
【００５４】
図１５の構成は、各ＭＳＣモジュール５で、アド側とドロップ側で同一構成のＭＣＳ５０−１、５０−２を用いることができるので、製造工程が簡易化される。
＜第４実施形態＞
図１６は、第４実施形態のＭＣＳモジュールを用いた方路拡張を示す。第４実施形態では、Ｍ×１光スイッチと２×２光スイッチまたは２×１光スイッチを組み合わせた方路拡張に替えて、（Ｍ＋１）×１光スイッチ１４を用いて方路を拡張する。
【００５５】
この例で、ＭＣＳモジュール６Ａは運用中のモジュール、ＭＣＳモジュール６Ｂは、追加接続されるモジュールとする。ＭＣＳモジュール６Ａと、ＭＣＳモジュール６Ｂは同一構成なので、ＭＣＳモジュール６Ａについて説明する。
【００５６】
ＭＣＳモジュール６Ａは、アド側のＭＣＳ６０と、ドロップ側のＭＣＳ７０を有する。ＭＣＳ６０は、ｎ個の（Ｍ＋１）×１光スイッチ１４と、ｍ個の１×Ｎ光カプラ１３と、ＴＡＰ回路５５と、ベリファイポート５１を有する。（Ｍ＋１）×１光スイッチ１４のＭ個の出力ポートは、１×Ｎ光カプラ１３に接続され、Ｍ＋１番目の出力ポートは、アップグレードポート５９Ａに接続されている。（Ｍ＋１）×１光スイッチ１４のＭ＋１番目の出力ポートと、アップグレードポート５９Ａの間に、ＴＡＰ回路５５が挿入されている。ＴＡＰ回路５５は、ｎ個の２×１光スイッチ４２を有する。各２×１光スイッチ４２の第１入力ポートは、（Ｍ＋１）×１光スイッチ１４のＭ＋１番目の出力ポートに接続され、第２入力ポートはベリファイポート５１に接続される。２×１光スイッチ４２の出力ポートは、アップグレードポート５９Ａに接続される。
【００５７】
ドロップ側のＭＣＳ７０は、ｎ個の（Ｍ＋１）×１光スイッチ１４と、ｍ個の１×Ｎ光カプラ１３と、ＴＡＰ回路１９を有する。（Ｍ＋１）×１光スイッチ１４のＭ個の入力ポートは、１×Ｎ光カプラ１３に接続され、Ｍ＋１番目の入力ポートは、アップグレードポート４５Ａに接続されている。アップグレードポート４５Ａと（Ｍ＋１）×１光スイッチ１４のＭ＋１番目の入力ポート間に、ＴＡＰ回路１９が挿入される。ＴＡＰ回路１９は、ｎ個の光検出器（ＰＤ）を有する。
【００５８】
方路を拡張する際には、光ケーブル１７及び２７を用いて、１台目のＭＣＳモジュール６Ａに２台目のＭＣＳモジュール６Ｂを接続する。接続確認を行うときは、アド側で、１台目のＭＣＳモジュール６ＡのＴＡＰ回路５５の２×１光スイッチ４２をベリファイポート５１側に設定する。２台目のＭＣＳモジュール６Ｂの２×１光スイッチ４２は、（Ｍ＋１）×１光スイッチ１４側に設定する。１台目のＭＣＳモジュール６Ａのベリファイポート５１からテスト信号を入力し、２台目のＭＣＳモジュール６Ｂのアップデートポート５９Ｂでテスト信号をモニタすることで、接続確認をすることができる。
【００５９】
ドロップ側では、２台目のＭＣＳモジュール６Ｂのアップグレードポート４５Ｂからテスト信号を入力し、１台目のＭＣＳモジュール６ＡのＴＡＰ回路１９でテスト信号をモニタする。
【００６０】
この構成により、方路拡張時にアド側とドロップ側の双方で、１台目のＭＣＳモジュール６Ａの運用に影響を与えずに接続確認をすることができる。
【００６１】
図１７は、第４実施形態の変形例を示す。変形例では、ドロップ側で、ＰＤを用いたＴＡＰ回路１９に替えて、２×１光スイッチ４２を用いたＴＡＰ回路５５を用いる。この例で、ＭＣＳモジュール７Ａは運用中のモジュール、ＭＣＳモジュール７Ｂは、追加接続されるモジュールとする。ＭＣＳモジュール７Ａと、ＭＣＳモジュール７Ｂは同一構成なので、ＭＣＳモジュール７Ａについて説明する。
【００６２】
ＭＣＳモジュール７Ａは、アド側のＭＣＳ６０−１と、ドロップ側のＭＣＳ６０−２を有する。ＭＣＳ６０−１は図１６のＭＣＳ６０と同一構成であり、方路拡張時の接続確認方法も同じである。
【００６３】
ＭＣＳ６０−２は、ＭＣＳ６０−１と同じ構成を有する。光ケーブル１７、２７により１台目のＭＣＳモジュール７Ａに２台目のＭＣＳモジュール７Ｂを接続した後、接続確認を行う。ドロップ側で、２台目のＭＣＳモジュール７Ｂの２×１光スイッチ４２の出力ポートを（Ｍ＋１）×１光スイッチ１４側に設定し、１台目のＭＣＳモジュール７Ａの２×１光スイッチ４２の出力ポートをベリファイポート５１側に設定する。２台目のＭＣＳモジュール７Ｂのアップデートポート４５Ｂからテスト信号を入力し、１台目のＭＣＳモジュール７Ａのドロップ側のベリファイポート５１でテスト信号をモニタする。
【００６４】
この構成でも、方路拡張時に１台目のＭＣＳモジュール７Ａの運用に影響を与えずに、アド側及びドロップ側で接続確認をすることができる。
＜光中継装置＞
図１８は、実施形態のＭＣＳモジュールと１×９ＷＳＳ１０５ａ、１０５ｂを組み合わせたＲＯＡＤＭ装置８０Ａの構成例である。ＭＣＳモジュールは、第１〜第４の実施形態及びそれらの変形例で示したＭＣＳモジュール１〜７のいずれを用いてもよい。
【００６５】
一例として、ＭＣＳモジュール１（または２〜７のいずれか）は、アップグレード機能を備えた４×４ＭＣＳを用いたモジュールである。設置したトランスポンダ（ＴＲＰＮ）のそれぞれに対して、４方路まで対応したＣＤＣ（Colorless, Directionless, Contentionless）のアド／ドロップが可能である。
【００６６】
ＲＯＡＤＭ装置８０Ａは、たとえば６つの方路（＃１〜＃６）を有するリングネットワークで用いられる。ドロップ側で、方路＃１から伝送される光信号は、１×９ＷＳＳ１０５ｂにより、ＭＣＳモジュール１（または２〜７のいずれか）の４つのドロップポートと５つの方路（あるいはネットワーク）＃２〜＃６が選択される。図示の便宜上描かれていないが、別のＷＳＳによって、ＭＳＣモジュール１（または２〜７のいずれか）のアドポートから方路＃１以外の方向に向けて送出される光信号が選択される。
【００６７】
アド側で、１×９ＷＳＳ１０５ａにより、方路＃１に向かう光信号が選択される。たとえば、ＭＣＳモジュール１（または２〜７のいずれか）のアドポートからの４つの入力と５つの方路＃２〜＃６からの光信号が選択される。また、図示の便宜上描かれていない別のＷＳＳによって、方路＃２〜＃６からＭＣＳモジュール１（または２〜７のいずれか）のドロップポートへ分岐される信号が選択される。
【００６８】
図１９は、方路拡張後のＲＯＡＤＭ８０Ｂを示す。ＭＳＣモジュール１（または２〜７のいずれか）において、ネットワークのフレキシビリティを増やすために、８方路まで対応したアド／ドロップが必要となった場合の拡張例である。アップグレードポートを用いて、運用中のＭＳＣモジュール１Ａに新たなＭＳＣモジュール１Ｂを接続し、４方路から８方路に拡張する。ＭＳＣモジュール２Ａ〜７Ａを用いた場合も、対応する構成のＭＳＣモジュール２Ｂ〜７Ｂを追加接続する。
【００６９】
図１８及び図１９の例では、４×４ＭＣＳと１×９ＷＳＳを用いた構成例を示しているが、Ｍ×Ｎ  ＭＣＳと１×Ｋ  ＷＳＳ（Ｍ，Ｎ，Ｋは任意の整数）を用いてもよい。
【００７０】
図２０は、実施形態の方路拡張方法のフローチャートである。まず運用中のＭＣＳモジュール（たとえば１台目）に追加して、新たなＭＣＳモジュール（たとえば２台目）を用意する（Ｓ１１）。１台目及び２台目のＭＣＳモジュールは第１〜第４実施形態のいずれの構成を有していてもよい。
【００７１】
１台目のＭＣＳモジュールと、２台目のＭＣＳモジュールを光ケーブルなどの光配線で接続し（Ｓ１３）、必要に応じて、各ＭＣＳに接続確認のための設定を行う（Ｓ１４）。たとえば、接続確認のために２×１光スイッチ４２を用いたＴＡＰ回路５５が配置されている場合は、１台目のＭＣＳモジュールの２×１光スイッチ４２がベリファイポート５１側に設定され、２台目のＭＣＳモジュールの２×１光スイッチ４２が、ベリファイポート５１側と異なる側のポートに設定されているか否かを確認する。
【００７２】
設定が確認されたら、接続監視用の光信号（テスト信号）入力し（Ｓ１４）、テスト信号がモニタされたことを確認する（Ｓ１５）。たとえば、所定レベル以上のテスト信号が検出されたときはテスト信号が確認されたものとして（Ｓ１５でＹＥＳ）、処理を終了する。テスト信号が確認されない場合は（Ｓ１５でＮＯ）、光ファイバや光コネクタの接続状態を確認する等して（Ｓ１６）、再度テスト信号を入力と確認を行う（Ｓ１４、Ｓ１５）。テスト信号が確認されるまでＳ１４とＳ１５を繰り返すことで、追加のＭＣＳモジュールの接続を確実に行い、光信号の喪失や誤まった方向への送出を回避する。アド側とドロップ側の接続確認は、順次行ってもよいし、同時に行ってもよい。
【００７３】
接続の確認後に、２台目のＭＳＣモジュールを運用する。それまでＭ方路に送出されていたトランスポンダからの信号は、２×Ｍ方路への送出が可能になる。また、２×Ｍ方路からの任意の光信号をトランスポンダで受信することが可能になる。
【００７４】
以上の説明に対して以下の付記を提示する。
（付記１）
信号光が入力されるＮ個の信号光入力ポートと、
信号光を出力するＭ個の信号光出力ポートと、
入力された前記信号光が接続されるＮ個の光入力ポートと、前記信号光出力ポートへ出力する信号光を出力するＭ個の光出力ポートとを有し、前記光入力ポートと前記光出力ポートとの間で光の経路を選択的に設定可能なＭ×Ｎスイッチと、
テスト光を外部から入力可能なテスト信号入力ポートと、
前記テスト光または前記信号光を前記Ｍ個の信号光出力ポート以外の方向へ出力する拡張ポートと、
前記信号光入力ポートから入力された前記信号光を、前記Ｍ×Ｎスイッチの前記光出力ポートに接続するか、前記拡張ポートに接続される光の経路に接続するかを切り換える光スイッチと、
を有する光スイッチモジュール。
（付記２）
前記光スイッチは、前記信号光入力ポートと前記Ｍ×Ｎスイッチとの間に配置される２×２光スイッチであり、
前記２×２光スイッチの第１入力ポートは前記信号光入力ポートに接続され、第２入力ポートは前記テスト信号入力ポートに接続され、第１出力ポートは前記Ｍ×Ｎスイッチに接続され、第２出力ポートは前記拡張ポートに接続される前記光の経路に接続されることを特徴とする付記１に記載の光スイッチモジュール。
（付記３）
前記２×２光スイッチは、クロスバータイプの光スイッチであり、前記テスト光の入力時はストレート状態に設定されていることを特徴とする付記２に記載の光スイッチモジュール。
（付記４）
前記２×２光スイッチは、クロスバータイプの光スイッチであり、前記信号光入力ポートに入力された前記信号光を前記拡張ポートに接続される前記光の経路に送出するときはクロス状態に設定されることを特徴とする付記２に記載の光スイッチモジュール。
（付記５）
前記光スイッチは、前記信号光入力ポートと前記Ｍ×Ｎスイッチとの間に配置される第１の２×１光スイッチであり、
前記光スイッチモジュールは、前記テスト信号入力ポートと前記拡張ポートの間に配置される第２の２×１光スイッチ、をさらに有し、
前記第２の２×１光スイッチの第１入力ポートは前記第１の２×１光スイッチに接続され、第２入力ポートは前記テスト信号入力ポートに接続されていることを特徴とする付記１に記載の光スイッチモジュール。
（付記６）
前記第２の２×１光スイッチは、前記テスト信号入力ポートを用いた接続確認時に前記第２入力ポート側に設定され、前記接続確認後は前記第１入力ポート側に設定されることを特徴とする付記５に記載の光スイッチモジュール。
（付記７）
前記Ｍ×Ｎスイッチは、前記Ｎ個の信号光入力ポートに接続されるＮ個の（Ｍ＋１）×１光スイッチを有し、
前記（Ｍ＋１）×１光スイッチは、前記Ｍ×Ｎスイッチの前記Ｍ個の光出力ポートと、前記拡張ポートに接続される光の経路との間を切り換える前記光スイッチである、
ことを特徴とする付記１に記載の光スイッチモジュール。
（付記８）
前記テスト信号入力ポートと前記拡張ポートの間に配置される２×１光スイッチ、
をさらに有し、
前記２×１光スイッチの第１入力ポートは前記（Ｍ＋１）×１光スイッチの前記Ｍ＋１番目の出力ポートに接続され、第２入力ポートは前記テスト信号入力ポートに接続されていることを特徴とする付記７に記載の光スイッチモジュール。
（付記９）
前記拡張ポートに接続され前記光スイッチモジュールと同一構成を有する第２の光スイッチモジュール、
をさらに有し、
前記テスト光は、接続確認のために前記第２の光スイッチモジュールの前記拡張ポートに接続される光の経路に接続されることを特徴とする付記１に記載の光スイッチモジュール。
（付記１０）
付記１〜９のいずれかに記載の光スイッチモジュールと、
伝送路に接続され、前記光スイッチモジュールから挿入または前記光スイッチモジュールへ分岐される光信号の波長を選択する波長選択スイッチと、
を有することを特徴とする光中継装置。
（付記１１）
信号光が入力されるＮ個の信号光入力ポートと信号光を出力するＭ個の信号光出力ポートとの間に配置されて前記Ｎ個の信号光入力ポートと前記Ｍ個の信号光出力ポートの間に光の経路を選択的に設定可能なＭ×Ｎスイッチと、テスト光を外部から入力可能なテスト信号入力ポートと、前記テスト光または前記信号光を前記Ｍ個の信号光出力ポート以外の方向へ出力する拡張ポートと、前記信号光入力ポートから入力された前記信号光を、前記Ｍ×Ｎスイッチの出力ポートに接続するか前記拡張ポートに接続される光の経路に接続するかを切り換える光スイッチと、を有する第１の光スイッチモジュールを用意し、
前記第１の光スイッチモジュールの前記拡張ポートに、第２の光スイッチモジュールを接続し、
前記第１の光スイッチモジュールの前記光スイッチを前記拡張ポート側に設定し、
前記第１の光スイッチモジュールの前記テスト信号入力ポートからテスト信号を入力して、前記第２の光スイッチモジュールで前記テスト信号をモニタし、前記第１の光スイッチモジュールと前記第２の光スイッチモジュールとの間の接続を確認し、
前記接続の確認後に、前記信号光入力ポートから入力される前記信号光を前記拡張ポートにより前記第２の光スイッチモジュールに出力する、
ことを特徴とする方路拡張方法。
（付記１２）
前記光スイッチとして、前記Ｎ個の信号光入力ポートと前記Ｍ×Ｎスイッチとの間に配置されるＮ個の２×２光スイッチを用い、
各前記２×２光スイッチの第１入力ポートを前記Ｎ個の信号光入力ポートの対応するポートに接続し、第２入力ポートを前記テスト信号入力ポートに接続し、第１出力ポートを前記Ｍ×Ｎスイッチの入力ポートに接続し、第２出力ポートを前記拡張ポートに接続し、
前記テスト光の入力時に各前記２×２光スイッチをストレート状態に設定し、
接続確認後に前記信号光入力ポートから入力された前記信号光を前記拡張ポートに送出するときに対応する前記２×２光スイッチをクロス状態に設定する、
ことを特徴とする付記１１に記載の方路拡張方法。
【符号の説明】
【００７５】
１、２、３、４、５、６、７  光スイッチモジュール
１Ａ、２Ａ、３Ａ、４Ａ、５Ａ、６Ａ、７Ａ  １台目の光スイッチモジュール
１Ｂ、２Ｂ、３Ｂ、４Ｂ、５Ｂ、６Ｂ、７Ｂ  ２台目の光スイッチモジュール
１０、２０、２０−１、２０−２、３０、４０、５０、５０−１、５０−２、６０、６０−１、６０−２、７０  マルチキャストスイッチ
１１  Ｍ×１光スイッチ
１２  ２×１光スイッチ（第１の２×１光スイッチ）
１３  １×Ｎ光カプラ
１４  （Ｍ＋１）×１光スイッチ
１５Ａ、１５Ｂ、４５Ａ、４５Ｂ、５９Ａ、５９Ｂ  アップグレードポート（拡張ポート）
１８  光検出器（ＰＤ）
１９Ａ、１９Ｂ、５５Ａ、５５Ｂ  ＴＡＰ回路（接続確認回路）
２１Ａ、２１Ｂ  第１アップグレードポート（テスト信号入力ポート）
２２  ２×２光スイッチ（拡張方路への切り替え手段）
２５Ａ、２５Ｂ、３５Ａ，３５Ｂ  第２アップグレードポート（拡張ポート）
４２  ２×１光スイッチ（第２の２×１光スイッチ）
５１  ベリファイポート（テスト信号入力ポート）
８０Ａ  ８０Ｂ  ＲＯＡＤＭ（光中継装置）
ＰＤ  光検出器
【図１】
0006468058.tif 000002
【図２】
0006468058.tif 000003
【図３】
0006468058.tif 000004
【図４】
0006468058.tif 000005
【図５】
0006468058.tif 000006
【図６】
0006468058.tif 000007
【図７】
0006468058.tif 000008
【図８】
0006468058.tif 000009
【図９】
0006468058.tif 000010
【図１０】
0006468058.tif 000011
【図１１】
0006468058.tif 000012
【図１２】
0006468058.tif 000013
【図１３】
0006468058.tif 000014
【図１４】
0006468058.tif 000015
【図１５】
0006468058.tif 000016
【図１６】
0006468058.tif 000017
【図１７】
0006468058.tif 000018
【図１８】
0006468058.tif 000019
【図１９】
0006468058.tif 000020
【図２０】
0006468058.tif 000021